(57)【特許請求の範囲】
【請求項１】
発せられる光において識別コードを各々伝送する複数の照明器具と、
最小設定値以下である又は最大設定値以上である初期駆動値を有する少なくとも１つの照明器具を識別し、前記少なくとも１つの識別された照明器具の駆動値を前記少なくとも１つの識別された照明器具の信頼できる識別コードの読み込みを提供するのに十分な所定の値に設定する、制御ユニットと、
前記識別コードに基づいて前記照明器具の少なくとも１つを選択する選択装置と、
を有し、
前記選択の後に、前記少なくとも１つの識別された照明器具の駆動値が、所定の時間間隔にわたって初期駆動値に戻る、照明システム。
【請求項２】
前記選択装置は、第１の初期化命令を前記制御ユニットに伝送し、前記第１の初期化命令を受け取ると、少なくとも１つの識別された前記照明器具を除く、全ての照明器具が、識別コードを伝送する、請求項１に記載の照明システム。
【請求項３】
前記選択装置は、第２の初期化命令を送信し、前記制御ユニットは、前記第２の初期化命令を受信すると前記駆動値を前記識別された照明器具の前記所定の値に設定し、この設定のステップの後に、前記少なくとも１つの識別された照明器具は、識別コードを送信する、請求項２に記載の照明システム。
【請求項４】
前記最小設定値及び前記最大設定値が前記選択のステップの前に設定される、請求項１乃至３の何れか一項に記載の照明システム。
【請求項５】
前記最小設定値及び前記最大設定値が前記選択のステップにおいて設定される、請求項１乃至３の何れか一項に記載の照明システム。
【請求項６】
前記所定の値は、それぞれ、前記最小設定値又は前記最大設定値の固定されたパーセンテージ値である、請求項１乃至５の何れか一項に記載の照明システム。
【請求項７】
前記制御ユニットは、前記選択装置によって検出される光に関する信号対雑音比に基づいて前記最小設定値を調整する、請求項１乃至６の何れか一項に記載の照明システム。
【請求項８】
前記初期駆動値が平均光輝度出力に対応している、請求項１乃至７の何れか一項に記載の照明システム。
【請求項９】
複数の照明器具から照明器具を選択する方法であって、
最小設定値以下、又は最大設定値以上の初期駆動値を有する少なくとも１つの照明器具を識別するステップと、
前記少なくとも１つの識別された照明器具の駆動値を前記少なくとも１つの識別された照明器具の信頼できる識別コードの読み込みを提供するのに十分な所定の値に設定するステップと、
前記複数の照明器具の各々から、前記発せられた光における識別コードを伝送するステップと、
前記識別コードを検出するステップと、
検出された前記識別コードに基づいて照明器具を選択するステップと、
前記選択のステップの後、前記識別された照明器具の駆動値を所定の期間にわたって初期駆動値に戻らせるステップと、
を有する方法。
【請求項１０】
第１の初期化命令を供給するステップを更に有し、前記第１の初期化命令に対する応答として、前記伝送のステップが、少なくとも１つの前記識別された照明器具を除いて、全ての照明器具に関して実施される、請求項９に記載の方法。
【請求項１１】
第２の初期化命令を供給するステップを更に有し、前記第２の初期化命令に対する応答として、前記選択のステップが、少なくとも１つの識別された前記照明器具に関して実施され、前記伝送のステップは、前記少なくとも１つの識別された照明器具に関して実施される、請求項１０に記載の方法。
【発明の詳細な説明】
【技術分野】
【０００１】
本発明の概念は、照明システムに関し、より詳細には、発される光において識別コードを各々伝送する複数の照明器具と、前記識別コードに基づいて前記照明器具のうちの少なくとも１つを選択する選択装置とを有する照明システムに関する。更に、対応する方法が、提示される。
【背景技術】
【０００２】
複数の照明器具を有する照明システムであって、前記複数の照明器具が、前記発される光における個々の前記照明器具からのデータの伝送を利用する、照明システムが、知られている。国際出願公開第２００６／０７９１９９号は、発光ダイオード（ＬＥＤ）を含んでいる照明装置であって、例えば、データ信号が変調されるパルス幅変調信号（ＰＷＭ）によって駆動される。更に、検知手段は、前記ＬＥＤにより提供される照明の全て（又は、一部）の検出により前記ＬＥＤによって発される光内のデータ信号を受け取るのに利用される。前記データ信号は、この後、検出された照明から抽出される。
【０００３】
この種の技術は、照明器具のための要点・管理法（point and control mothods）において、より最近、使用されている。典型的には、携帯選択装置は、１つ以上の照明器具を指示し、取得された識別コードによって前記照明器具を識別することによって、個々の照明器具を選択する及び制御する。前記識別コードは、前記照明器具内に含まれることができて、例えば、パルス幅変調（ＰＷＭ）によって、見えない仕方において前記照明器具からの前記光出力を変調することによって、前記選択装置に伝送されることができる。従って、前記識別コードは、前記照明器具から出力される平均光輝度上に変調される。このことは、前記選択装置が、指向的な観測視野において取得された識別コードに基づいて照明器具を選択することを可能にする。
【発明の概要】
【発明が解決しようとする課題】
【０００４】
しかしながら、上述のシステムでは、前記データが（例えば、識別コードの形態において）発せられた光内に発せられる及び前記発せられた光から検出されており、幾つかの問題がある。複数の照明器具から識別コードを受け取る場合、前記受信器は、例えば、低い光輝度、当該部屋内の妨害物体又は前記変調信号の歪み等のような、幾つかの理由のために個々の信号を解決することができることができない。
【０００５】
本発明の目的は、この問題を解決すると共に、このような照明システムの照明器具を選択するための改善された照明システム及び方法を提供することにある。
【課題を解決するための手段】
【０００６】
本発明の第１の見地によれば、このこと及び他の目的は、各々発される光において識別コードＩＤを伝送する複数の照明器具を有している照明システムによって達成される。前記照明システムは、更に、最小設定値（minimum preset value）以下である又は最大設定値（maximum preset value）以上である公称駆動値を有する少なくとも１つの照明器具を識別する制御ユニットを有している。前記制御ユニットは、更に、このように識別された照明器具の駆動値を所定の値に設定する。
【０００７】
本発明の主旨は、前記識別コードが、輝度変調として前記発される光において実施化されるという認識にある。前記駆動信号が低すぎる又は高すぎる（それぞれ、深く調光された輝度及び最大光輝度に近いものに対応する）場合、利用可能である変調深さは、前記識別コードを検出する際の良好な信号対雑音比を提供する際に臨界的なものとなる。従って、照明システムは、信頼できる、かつ、好ましくはシームレスな輝度変調（の検出）を可能にするには低すぎる又は高すぎる公称駆動値によって動作する前記照明器具が、識別され、これらの識別された照明器具の前記駆動値は、所定の値に設定される。前記所定の値において、利用可能である変調深さは、前記コードの検出に関して良好な信号対雑音比を達成するのに十分大きい。
【０００８】
当該照明システムの実施例によれば、前記システムは、更に、前記照明器具の少なくとも１つを選択する選択装置を更に有する。前記選択は、前記識別コードに基づく。
【０００９】
前記照明システムの実施例によれば、前記選択装置は、第１の初期化命令と、オプションとしての第２の初期化命令とを送信する。前記第１の初期化命令を受け取ると、全ての照明器具は、少なくとも１つの前記識別された照明器具を除いて、自身の識別コードを伝送する。前記識別された照明器具の公称駆動値を設定する当該ステップは、前記第２の初期化命令を受け取ると実施され、この設定するステップの後、前記少なくとも１つの識別された照明器具は、自身の識別コードを伝送する。
【００１０】
このようにして、前記識別コードの信頼できる信号強度を提供する照明器具の読み込みの第１の集合が、前記選択装置によって検出される。この後、第２の初期化命令が、公称駆動値の設定において適切に変調されることができない前記識別された照明器具のための識別コードの伝送／検出の質を改善するために、駆動値設定を起動させる。典型的には、識別される照明器具の数は少なく、例えば、ランプの総数（Ｎとする）のうちのほんの僅かな数（ｍとする）だけが、それぞれ、最大駆動値の１０％未満又は９０％よりも大きい駆動値で駆動される。従って、前記ユーザが、これらのうちの１つを選択するのを望む確率は、低く、即ち  〜ｍ／Ｎ＜＜１である。従って、ほとんど、前記ユーザは、１つの初期化命令を送るのみである。
【００１１】
前記照明システムの実施例によれば、前記最小及び／又は最大設定値は、前記選択のステップの前に設定される。
【００１２】
所定の駆動値（従って、発される光の前記輝度レベル）は、前記照明器具のコミッショニング（初期設定）又は後の段階の何れかにおいて、前記選択装置において有利に設定されることができる。カラーランプの場合、２つ以上のカラーチャネル（有色光源であって、例えば、赤、緑及び青色のＬＥＤ）を有しており、単一のカラーチャネルは、前記所定の駆動値を利用するように選択されることができる。このことは、一方では、発される光の色点の軽微なシフトを生じるが、同時に、前記照明器具の全体の輝度変更を制限する。
【００１３】
当該照明システムの実施例によれば、前記最小及び／又は最大設定値は、選択のステップの間に設定される。
【００１４】
前記最小又は最大値の動的な設定は、例えば、前記照明器具のオフ状態に近い非常に低い駆動値を有する照明器具を有する場合に、有利である。このことは、前記選択装置が低い最小設定値を最初に設定するのを可能にすることによってなされ、十分な検出信号が前記選択装置によって取得可能でない場合、前記選択装置は、発せられた光の信頼できる検出があるまで、前記照明器具の前記最小設定値を増大させる。このようにして、前記照明器具から発される光の全体の光輝度レベルの最小限の増大が達成されると共に、依然として信頼できる検出が得られる。このことは、前記識別コードの伝送の間、前記部屋の照明の変化の可視性を低下させる。類似の手順が、最大値の近くでランプのための信頼できる検出を得るために実施されることができる。
【００１５】
前記照明システムの実施例によれば、前記所定の駆動値は、それぞれ、前記最小又は最大設定値の固定されたパーセンテージ値である。前記選択のステップの間の照明器具からの光輝度の変化の如何なる知覚も最小化するように、前記既定の駆動値は、好ましくは、前記公称駆動値から実質的に逸脱しない値に設定され、従って、前記識別コードの伝送の前に、それぞれ、深く調光されている照明器具の駆動値は、例えば、前記照明器具に関する最大駆動値の１０％まで増大され、殆どの最大の照明器具の駆動値は、例えば、前記照明器具に関する最大駆動値の９０％に設定される。
【００１６】
前記照明システムの実施例によれば、前記選択ユニットは、前記選択装置によって検出される光のための信号対雑音比に基づいて前記最小設定値を調整する。従って、前記選択装置における光測定のための駆動信号対雑音比レベルは、有利には、識別された照明器具の出力された（及び設定された駆動値に対応する）前記全体の光輝度の最小限の変化を得るための手段として利用される。
【００１７】
前記照明システムの実施例によれば、前記選択のステップの後、前記識別された照明器具の駆動値は、ゆっくりと初期値に戻る（即ち、所定の時間間隔にわたって戻る）。前記選択装置が照明器具を選択している時間は、比較的短く、典型的には、約２００ｍｓである。前記識別された照明器具の（前記照明器具から発される光輝度に対応する）駆動値がゆっくりと初期値に戻るのを可能にすることによって、前記ユーザが光輝度の変化を知覚するというリスクが、低減される。
【００１８】
前記照明システムの実施例によれば、前記公称駆動値は、平均光輝度出力に対応する。
【００１９】
更に、本発明の第２の見地によれば、複数の照明器具から照明器具を選択する方法が、提供される。この方法は、最小設定値以下、又は最大設定値以上の公称駆動値を有する少なくとも１つの照明器具を識別するステップと、発せられる光の識別コードを各照明器具から伝送するステップと、このような識別された照明器具の輝度値を所定の輝度値に設定するステップと、前記識別コードを検出するステップと、検出された前記識別コードに基づいて照明器具を選択するステップとを有する。本発明の第２の見地は、一般に、前記第１の見地と同じフィーチャ及び有利な点を有することができる。
【００２０】
当該方法の実施例によれば、前記方法は、更に、第１の初期化命令を供給するステップを有する。前記第１の初期化命令への応答として、前記伝送のステップが、少なくとも１つの照明器具を除いて、全ての照明器具に対して実施される。当該方法は、更に、オプションとして第２の初期化命令を提供するステップを有する。前記第２の初期化命令に対する応答として、前記設定のステップが、前記少なくとも１つの識別された照明器具に対して実施され、前記伝送のステップが、前記少なくとも１つの識別された照明器具に対して実施される。
【００２１】
当該方法の実施例によれば、当該方法は、前記選択のステップの後、前記識別された照明器具の前記駆動値をゆっくりと初期値に戻す（即ち、所定の時間間隔にわたって戻す）。
【００２２】
本発明のこれら及び他の見地、フィーチャ及び有利な点は、以下に記載される実施例を参照して、明らかになり、説明されるであろう。本発明は、添付請求項に列挙されているフィーチャの全てのあり得る組み合わせに関するものであることに留意されたい。
【００２３】
本発明のこの見地及び他の見地は、以下で、本発明の実施例を示していている添付図面を参照して、更に詳細に記載される。
【図面の簡単な説明】
【００２４】
【図１】本発明の概念による照明システムの実施例の説明である。
【図２ａ】本発明の概念による照明システムの実施例を示している模式的なブロック図である。
【図２ｂ】本発明の概念による照明システムの実施例における照明器具を示している模式的なブロック図である。
【図２ｃ】本発明の概念による選択装置の実施例を示している模式的なブロック図である。
【図３ａ】本発明の概念の実施例による識別された照明器具のための時間に対する平均光輝度を示しているグラフである。
【図３ｂ】本発明の概念の実施例による識別された照明器具のための時間に対する平均光輝度を示しているグラフである。
【図３ｃ】本発明の概念の実施例による識別された照明器具のための時間に対する平均光輝度を示しているグラフである。
【発明を実施するための形態】
【００２５】
本発明の概念による実施例は、ここで、本発明の或る実施例が示されている添付図面を参照して、以下で更に詳細に記載されている。しかしながら、本発明は、多くの異なる形態において実施されることができ、本明細書に開示されている実施例に限定されるようにみなされてはならない。むしろ、本明細書は、一貫して完全なものとなるように、かつ、本発明の範囲を当業者に完全に伝達するように、一例として提供されている。同様の符号は、全体を通して同じ要素を参照している。
【００２６】
図１は、本発明の概念による照明システム１００の実施例の図である。複数の照明器具１０１ａ―ｇが、例えば、室内の照明のための天井に配されており、各照明器具は、発せられた光において対応する識別コードＩＤを伝送する。ユーザは、用途特有の態様において照明器具を制御する目的のために、選択装置１２０によって照明器具を選択する。選択装置１２０は、前記照明器具から発される光を検出することによって複数の照明器具から照明器具を選択し、これらのＩＤコードに基づいて個々の照明器具を識別することができる。更に、各照明器具は、制御ユニット１３０を有しており（又は制御ユニット１３０と通信しており）、制御ユニット１３０は、（それぞれ、最大に近い及び深く調光された平均光輝度値に対応する）高すぎる又は低すぎる駆動値を有する照明器具を識別すると共に、これら識別された照明器具の駆動値を所定の駆動値に調整する。
【００２７】
ここで、図２ａ‐ｃを参照すると、本発明の概念による照明システムが、更に詳細に説明される。照明システム２００の例証となる実施例は、複数のＬＥＤベースの照明器具１０１ａ‐ｄを有している。照明器具１０１ａ‐ｄは、各々、自身の発する光において識別コードＩＤａ‐ｄを伝送する。ここで、ＬＥＤベースの照明器具１０１ａ‐ｄは、対応する電気ドライバ１１２において前記照明器具から発される光の輝度を設定するように、パルス幅変調（ＰＷＭ）のための手段を使用している。一般的に、ＰＷＭは、２つのレジスタによって制御され、一方は、前記照明器具から出力される光の輝度に対応する前記パルスのデューティサイクルを制御し、他方のレジスタは、ＰＷＭ周波数を設定する。両方のレジスタは、一般に、制御ユニット１３０内に配されるファームウェアから設定されることができる。ＰＷＭ周波数が数百ヘルツよりも高い場合、これは、実質的に人間の目には見えない。異なるＰＷＭ周波数をあらゆる照明器具１０１ａ‐ｄに割り当てることによって、光検出器１２１及び信号処理ユニット１２４を備える選択装置１２０は、検出器１２１に当たる光が、どの照明器具１０１ａ‐ｄから生じているのかを区別することができる。ここで、光センサ１２１は、光輝度を測定する光束センサである。しかしながら、（カメラのような）更に他の高性能な光センサも、他の光特性を測定することもできるように使用されることができる。更に、前記識別コードを利用する代替的な仕方が、振幅変調、コード配列等によってなされることができる。このことは、当業者によく知られており、本発明の概念の範囲内であると考えられる。
【００２８】
それぞれの制御ユニット１３０が、照明器具１０１の各電気ドライバ１１２と直接的な接続において配され、独立したユニットを形成することもでき（図２ｂ参照）、又は、図２ａに示されているように、全ての照明器具に対する中央制御ユニットとして配されることもできる。代替的な実施例においては、制御ユニット１３０は、選択装置１２０内に配されている（図２ｃ参照）。この選択装置は、次いで、対応する電気ドライバ１１２に設定を送信する。
【００２９】
上述したコード変調に加えて、各照明器具への対応するＰＷＭ周波数の適用に対して代替的に、コードは、ＰＷＭデューティサイクルの変化によって前記光の輝度を僅かに変化させることによって、実質的に見えない態様において伝送されることができる。個々のＩＤを実施化するために、符号分割多重アクセス変調スキームが、例えば、オン／オフ・キーイング又は二相変調によって、使用され又は可能にされることができる。好ましくは、前記ＩＤは、これらが容易に識別可能であることを可能にする直交コードとして実施化される。これらの方法の両方とも、ファームウェアのみの変化によって実現されることができるので、これらは、既存の照明システムにおいて実施化するのに非常に安い。
【００３０】
照明器具１０１ａ‐ｄに含まれている光源は、例えば、発光ダイオード、ＨＩＤランプ（高い輝度放電）、ハロゲンランプ、白熱ランプ及び／又は蛍光管ランプに基づいている。
【００３１】
制御ユニット１３０は、各照明器具内に、前記選択装置内に、又は中央制御ユニットとして配されるかどうかにかかわらず、照明器具１０１ａ‐ｄからの光出力の制御のための照明器具１０１ａ‐ｄと（無線又は有線によって）通信している。更に、制御ユニット１３０は、処理ユニット１３１と、前記照明器具からの照明を制御するためのソフトウェアとを有していても良い。制御ユニット１３０は、更に、ユーザによる明確なプログラミングを可能にするためにユーザインタフェース（図示略）に接続されていても良い。更に、制御ユニット１３０は、リレー又は半導体スイッチによって、各光源を全体としてオフに切り替え、これにより待機電力消費が減少される（図示略）ことを可能にすることもできる。
【００３２】
更に、選択装置１２０は、この例示的な実施例において、リモコンである。代替的な実施例において、前記選択装置は、静止している装置であっても良い。しかしながら、簡潔さのために、以下においては、リモコンが使用される。このリモコン１２０には、上述のような光検出器１２１、信号処理ユニット１２４（即ちマイクロプロセッサ）、照明器具１０１ａ‐ｄ及び／又は制御ユニット１３０に信号を送信する送信器１２２、及びユーザ入力１２３を有する。ユーザ入力１２３は、例えば、キーボタン、タッチ表示器、音声命令のための手段等であることができる。ユーザ入力１２３によって、前記ユーザは、前記照明システムにおいて使用されるべきデータ、選択が実施されなければならないことを示すデータ、及び選択データのような、データを入力することができる。
【００３３】
照明器具の選択が実施されるべきである場合、前記ユーザ（又は代替的には制御ユニット１３０若しくはリモコン１３０内のファームウェア）は、選択を開始する。前記ユーザは、典型的には、ユーザ入力１２３の選択ボタンを押下することによって当該選択を開始する。この後、リモコン１２０と制御ユニット１３０との間の通信は、信号（例えば、無線周波数信号、光等）によってなされる。前記リモコンは、信号を、送信器１２２によって、制御ユニット１３０内に配されている対応する受信器１３２に送信する。代替的には、制御ユニット１３０が、選択装置１２０自体に配されている場合、受信器１３２は、前記照明器具の駆動値を設定する目的のために照明器具１０１ａに配されている。
【００３４】
制御ユニット１３０は、最小設定値以下又は最大設定値以上の公称駆動値を有する少なくとも１つの照明器具１０１を識別する。照明器具に関する公称駆動値は、制御ユニット１３０における駆動設定（例えば、選択されたデューティサイクル）から、又は、駆動電流、駆動振幅若しくは現在の電力消費の測定、ドライバ１１２における設定等から取得されることができる。更に、前記公称駆動値は、照明器具の本光出力輝度を測定することによって取得されても良く、又は前記選択装置、若しくは以前の駆動設定動作の結果としてドライバ１１２内に記憶されていても良い。前記識別要件を満たしている公称駆動値を有している照明器具が識別された場合、制御ユニット１３０は、このような識別された照明器具の駆動値を所定の駆動値に設定する。例えば、照明器具がオフであるか又は非常に低い光輝度出力を有する場合、前記制御ユニットは、高い駆動値（例えば、最大駆動値の１０％）を設定する。同様に、照明器具が、最大の又はほぼ最大の輝度に設定される場合、前記制御ユニットは、非常に低い駆動値（例えば、最大駆動値の９０％）を設定する。前記駆動値は、典型的には、出力された光の変調によって前記照明器具から識別コードＩＤを伝送することを可能にする輝度を提供する前記照明器具の光輝度値を保証する値であるが、好ましくは、室内の照明のあまり大きい変化を生じないように、できるだけ前記公称駆動値に近い値に設定される。
【００３５】
それぞれの識別コードＩＤａ‐ｄが、照明器具１０１ａ‐ｄから、発せられる光において伝送される。リモコン１２０は、光検出器１２１を介して照明器具１０１ａ‐ｄから前記光を受け取り、前記検出信号は、信号処理される。次いで、特定の照明器具の選択が、抽出された識別コードＩＤａ‐ｄに基づいて実施されることができる。
【００３６】
前記照明システムの実施例によれば、前記最小設定値及び前記最大設定値は、例えば、ユーザによって入力されるものとして、製造において、又は前記照明システムのコミッショニングにおいて、前記選択のステップの前に設定されることができる。
【００３７】
更に、前記所定の駆動値を決定する幾つかの代替的な方法が、利用されることができ、以下で更に議論される。
【００３８】
前記照明システムの実施例において、前記所定の駆動値は、（低すぎる駆動値に関する）前記最小設定値の固定された割合の値及び（高すぎる駆動値に関する）前記最大設定値の固定された割合の値に設定される。代替的には、この割合の値は、前記最小設定値又は前記最大設定値に依存する。
【００３９】
前記照明システムの実施例によれば、前記最小設定値及び前記最大設定値は、前記選択のステップにおいて設定される。代替的には、前記パラメータのうちの１つだけが、照明器具を選択するステップにおいて設定される。一例として、リモコン１２０は、前記照明器具に最小設定値を利用するように適応的に指示する。最初、リモコン１２０は、照明器具１０１ａ‐ｄに前記最大駆動値の１％の低い最小設定値を利用するように指示する。リモコン１２０が、或る照明器具のＩＤコードを検出することができない場合、前記リモコンは、期待される照明器具からの前記ＩＤコードを含む十分な信号が検出されるまで、前記最小設定値を２％等まで増大するように等を照明器具１０１ａ‐ｄに指示する。
【００４０】
実施例において、リモコン１２０は、支配的な信号対雑音比（ＳＮＲ）に依存して最小設定値を適応化する。例えば、深く調光された／オフに近い照明器具の場合、前記リモコンは、低い最小設定値によって始動する。前記支配的なＳＮＲがあまりにも低い場合（照明器具が遠く離れており、妨害されるため、又は前記照明器具に対する前記公称駆動値があまりにも低い場合）、リモコン１２０は、特定のＩＤコードを有する光の信頼できる検出が達成されるまで、前記照明器具の前記最小値を増大させるように制御ユニット１３０に命令を送信する。類似の手順が、殆ど最大輝度を有する照明器具に対して続行されることができる。
【００４１】
前記照明システムの実施例において、リモコン１２０は、第１の初期化命令を送信する。ユーザは、例えば、ユーザ入力１２３において選択ボタンを押下することができる。高すぎる又は低すぎる駆動値を有する如何なる照明器具も識別する制御ユニット１３０に加えて、前記第１の初期化命令を受け取ると、全ての照明器具は、識別された前記照明器具を除いて、発する光において自身の識別コードを伝送する。次いで、リモコン１２０は、これらの識別されていない照明器具のうちの１つを選択することができる。次いで、ユーザは、前記選択ボタンを２回押下することができ、これにより前記リモコンは、第２の初期化命令を送信する。前記第２の初期化命令を受け取ると、制御ユニット１２０は、前記識別された照明器具の駆動値を所定の駆動値に設定するステップを実施する。この後、前記識別された照明器具は、自身の識別コードを伝送する。従って、前記第２の初期化命令は、前記ユーザが実際これをしたいと望む場合のみに高い又は非常に低い公称駆動値に設定されるべき照明器具、を前記ユーザが選択することを可能にするように、使用されることができる。
【００４２】
代替的には、前記識別された照明器具の駆動値の設定は、識別された照明器具に指示する選択ユニット１３０によって実施されることができ、即ち非常に低い／非常に高い駆動出力を有すると識別された前記照明器具は、前記第１の初期化命令を全く無視するが、前記選択ユニットからの前記第２の初期化命令を受け取ると、自身の駆動電力を、それぞれ、増大／減少させる。
【００４３】
図３ａ乃至３ｃは、選択の間における、識別された照明器具から出力される平均光輝度対時間を示しているグラフである。上側の破線の曲線は、照明器具に関する平均輝度を示しており、最初は前記最大設定値と比較して高すぎる駆動値を有している。下側の実線は、照明器具に関する平均輝度を示しており、最初は前記最小設定値と比較して低すぎる駆動値を有している。前記最大及び最小設定値は、当該図において平均輝度値Ｉｍａｘ及びＩｍｉｎとして示されている。図３ａにおいて、高すぎる公称平均輝度値を有する照明器具の平均輝度値が選択時間ｔｓにおいてどのように低下されるかと、低すぎる公称平均輝度値を有する照明器具の平均輝度値が、選択時間ｔｓにおいてどのように増大されるかとが、示されている。この選択時間ｔｓは、典型的には１０―５００ｍｓの範囲において設定される。好ましくは、前記選択時間は約２００ｍｓに設定され、これは、ユーザによって検出可能でないものであるために十分短いが、信頼できる検出及び選択時間のためには十分長い。その後、前記平均輝度は、前記初期公称値に戻される。このことは、観察者を光レベルの変化に気づかせ得るが、望ましいことではない。図３ｂにおいて、初期公称平均光輝度と前記選択時間において設定される平均輝度との間の差は、殆どはっきりしていない。実際に、前記平均輝度値は、前記平均光輝度値の知覚される変化を最小にするためにＩｍａｘ及びＩｍｉｎの近くに設定されている。前記所定の駆動値も、選択の間の前記平均輝度値がＩｍａｘ及びＩｍｉｎに等しいように、選択されることもできる、図３ｃは、前記平均光輝度値が所定の時間間隔にわたって前記公称平均光輝度値（又はこの平均光輝度値に対応する駆動値）に滑らかに戻ることがどのように可能にされるかを示している。前記光輝度値が前記公称平均光輝度値に戻るのを可能にする減衰期間は、典型的には１乃至５ｓの範囲において設定され、好ましくは２ｓに設定される。
【００４４】
本発明の概念による複数の照明器具から照明器具を選択する方法は、
−  最小設定値以下である又は最大設定値以上である公称駆動値を有する少なくとも１つの照明器具を識別するステップと、
−  識別された照明器具の駆動値を所定の値に設定し、各照明器具から、発せられる光における識別コードを伝送し、前記識別コードを検出するステップと、
−  検出識別コードに基づいて照明器具を選択するステップと、
を有する。
【００４５】
更に、当該方法の実施例は、第１の初期化命令を供給するステップを有する。前記第１の初期化命令への応答として、前記伝送のステップは、少なくとも１つの識別された照明器具を除いて、全ての照明器具に関して実施される。当該方法は、更に、第２の初期化命令をオプションとして供給するステップを有する。第２の初期化命令への応答として、前記設定のステップは、少なくとも１つの識別された照明器具に対して実施され、前記伝送のステップは、前記少なくとも１つの識別された照明器具に対して実施される。
【００４６】
更に、実施例によって、当該方法は、前記選択のステップの後、前記識別された照明器具の駆動値を所定の時間間隔にわたってこの初期値にゆっくりと戻すステップを有する。
【００４７】
以上において、添付請求項に規定されている本発明による照明システム及び方法の実施例が、記載された。これらは、単に非限定的な例であるとみなされなければならない。当業者によって理解されるように、多くの変形及び代替的な実施例が、本発明の範囲内で可能である。
【図１】
0005628304.tif 000002
【図２ａ】
0005628304.tif 000003
【図２ｂ】
0005628304.tif 000004
【図２ｃ】
0005628304.tif 000005
【図３ａ】
0005628304.tif 000006
【図３ｂ】
0005628304.tif 000007
【図３ｃ】
0005628304.tif 000008